(57)【特許請求の範囲】
【請求項１】
走行装置（１０）を備えた車体（１）上に脱穀装置（２）を搭載し、該脱穀装置（２）の穀稈供給口（３）に搬送コンベヤ（４）の終端部を接続し、該搬送コンベヤ（４）の始端部には収集テーブル（１１）を連結し、該収集テーブル（１１）上に掻込みオーガー（２３）を横軸（２２）で軸架すると共に収集テーブル（１１）の前側には第一刈刃（６）を設け、前記搬送コンベヤ（４）と収集テーブル（１１）と掻込みオーガー（２３）と第一刈刃（６）を有する刈取前処理装置（５）の前部左右両側に左右の分草杆（２４）を夫々設け、該左右の分草杆（２４）の間で前記第一刈刃（６）の前側の部位に、圃場に植立する複数条のひまわりの茎稈の上部を左右両側から支えながら第一刈刃（６）まで誘導案内する複数の分草案内杆（９）を左右方向に配列し、前記第一刈刃（６）の後方且つ下方の位置には、左右方向に配置した第二刈刃（７）と掻出しラグ（３５）を備えた茎稈掻出し装置（８）とを設け、該第二刈刃（７）で刈り取ったひまわりの茎稈の中間部を茎稈掻出し装置（８）で横方向に搬送しながら掻き出して走行装置（１０）が通過する位置よりも外側に放出する構成とし、前記収集テーブル（１１）の側板に設けた伝動ボックス（３６）から掻込みオーガー（２３）へ駆動力を伝動する構成とし、前記第二刈刃（７）の後部左右両側に左右の摺動支持杆（３０）の下端部を固着し、第二刈刃（７）の左側には該第二刈刃（７）を駆動する伝動角軸（３１）を設け、前記左右の摺動支持杆（３０）のうちの左側の摺動支持杆と伝動角軸（３１）とを搬送コンベヤ（４）のコンベヤケース（２８）に設けた伝動支持ボックス（２９）に上下摺動自在に下側から挿入し、前記左右の摺動支持杆（３０）のうちの右側の摺動支持杆を収集テーブル（１１）の側板に上下摺動自在に取り付け、前記茎稈掻出し装置（８）の左側に設けた伝動支持軸（３７）を前記伝動ボックス（３６）に下側から挿入して該伝動ボックス（３６）から茎稈掻出し装置（８）へ駆動力を伝動する構成とし、該茎稈掻出し装置（８）の右側を取付金具（５５）で収集テーブル（１１）の下面に取り付けて、前記第二刈刃（７）と茎稈掻出し装置（８）を、搬送コンベヤ（４）のコンベヤケース（２８）と収集テーブル（１１）の側板に対して着脱自在に構成したことを特徴とするひまわり収穫機。
【発明の詳細な説明】
【技術分野】
【０００１】
この発明は、車体前部に第一刈刃と第二刈刃とを備え、第一刈刃で刈り取った茎稈上部を脱穀装置に供給し、第二刈刃で刈り取った茎稈中間部を圃場に放出する二段刈取式のひまわり収穫機に関する。
【背景技術】
【０００２】
従来からこの種の二段刈取式コンバインは、例えば、特許文献として示す特開平２−１９５８１７号公報に開示されているように、前部の第一刈刃で刈り取られた茎稈上部は、穂部と共にエレベータで脱穀装置に供給されて脱穀・選別され、前記第一刈刃より後方、下方に位置する第二刈刃で刈り取られた茎稈中間部は、刈り取られた位置でそのまま圃場面に放置される構成となっている。
【特許文献１】特開平２−１９５８１７号公報
【発明の開示】
【発明が解決しようとする課題】
【０００３】
上述した従来公知の二段刈取式コンバインは、第二刈刃が刈り取った茎稈中間部を、そのまま圃場の刈取位置に放置して前進するため、その放置茎稈が走行装置に踏み付けられて圃場面に散乱する課題がある。そして、この種の従来型は、散乱する茎稈中間部を少なくするために、第一刈刃を低くして茎稈上部を長く刈り取り、第二刈刃の刈り取り丈を短くした刈高さ調節をして作業をすることが多い。このように、コンバインは、第一刈刃の刈り取り位置を下げると、脱穀装置に多くの茎稈が穂部と共に投入されて選別精度が悪くなり、穀粒に多くの夾雑物が混じる課題もある。
【課題を解決するための手段】
【０００４】
そのために、この発明は、走行装置（１０）を備えた車体（１）上に脱穀装置（２）を搭載し、該脱穀装置（２）の穀稈供給口（３）に搬送コンベヤ（４）の終端部を接続し、該搬送コンベヤ（４）の始端部には収集テーブル（１１）を連結し、該収集テーブル（１１）上に掻込みオーガー（２３）を横軸（２２）で軸架すると共に収集テーブル（１１）の前側には第一刈刃（６）を設け、前記搬送コンベヤ（４）と収集テーブル（１１）と掻込みオーガー（２３）と第一刈刃（６）を有する刈取前処理装置（５）の前部左右両側に左右の分草杆（２４）を夫々設け、該左右の分草杆（２４）の間で前記第一刈刃（６）の前側の部位に、圃場に植立する複数条のひまわりの茎稈の上部を左右両側から支えながら第一刈刃（６）まで誘導案内する複数の分草案内杆（９）を左右方向に配列し、前記第一刈刃（６）の後方且つ下方の位置には、左右方向に配置した第二刈刃（７）と掻出しラグ（３５）を備えた茎稈掻出し装置（８）とを設け、該第二刈刃（７）で刈り取ったひまわりの茎稈の中間部を茎稈掻出し装置（８）で横方向に搬送しながら掻き出して走行装置（１０）が通過する位置よりも外側に放出する構成とし、前記収集テーブル（１１）の側板に設けた伝動ボックス（３６）から掻込みオーガー（２３）へ駆動力を伝動する構成とし、前記第二刈刃（７）の後部左右両側に左右の摺動支持杆（３０）の下端部を固着し、第二刈刃（７）の左側には該第二刈刃（７）を駆動する伝動角軸（３１）を設け、前記左右の摺動支持杆（３０）のうちの左側の摺動支持杆と伝動角軸（３１）とを搬送コンベヤ（４）のコンベヤケース（２８）に設けた伝動支持ボックス（２９）に上下摺動自在に下側から挿入し、前記左右の摺動支持杆（３０）のうちの右側の摺動支持杆を収集テーブル（１１）の側板に上下摺動自在に取り付け、前記茎稈掻出し装置（８）の左側に設けた伝動支持軸（３７）を前記伝動ボックス（３６）に下側から挿入して該伝動ボックス（３６）から茎稈掻出し装置（８）へ駆動力を伝動する構成とし、該茎稈掻出し装置（８）の右側を取付金具（５５）で収集テーブル（１１）の下面に取り付けて、前記第二刈刃（７）と茎稈掻出し装置（８）を、搬送コンベヤ（４）のコンベヤケース（２８）と収集テーブル（１１）の側板に対して着脱自在に構成したことを特徴とするひまわり収穫機とした。
【発明の効果】
【０００５】
この発明によると、第一刈刃（６）で短く刈り取ったひまわりの茎稈の上部とこれに付着している種子部を脱穀装置（２）まで搬送して脱穀するから、夾雑物の少ない状態で良好に選別ができる。
【０００６】
また、圃場に植えられて不安定な状態で立っているひまわりの茎稈の上部を、複数の分草案内杆（９）によって左右両側から支えながら第一刈刃（６）まで誘導案内するから、安定した状態で適確に刈り取ることができる。そして、第二刈刃（７）で刈り取った茎稈の中間部を、掻込みオーガー（２３）と共に伝動ボックス（３６）から伝動される茎稈掻出し装置（８）によって走行装置（１０）が通過する位置よりも外側まで搬送して放出するから、走行装置（１０）によって踏み付けられて散乱することがなく、事後の処理が楽になる。
【０００７】
そして、第二刈刃（７）と茎稈掻出し装置（８）を、収集テーブル（１１）の側板と搬送コンベヤ（４）のコンベヤケース（２８）から取り外すことで、大豆収穫用のコンバインとしても使用でき、また、茎稈掻出し装置（８）のみを取り外して稲刈用のコンバインとして利用することも可能となる。
【発明を実施するための最良の形態】
【０００８】
この発明は、第一刈刃６と第二刈刃７とを装備した二段刈取式収穫機であって、第一刈刃６が茎稈上部を短く刈って種子部と共に搬送して脱穀装置２に供給して脱穀・選別し、第二刈刃７が茎稈中間部を刈り取って茎稈掻出し装置８が車体１の側方まで掻き出し搬送して放出する構成としている。したがって、収穫機は、種子部と一体の茎稈上部を短く刈り取って脱穀装置２に供給するから選別後の種子に夾雑物の混入が少なく、高精度の良好な選別ができると共に、刈り取り後の茎稈中間部を圃場に散乱せず、車体１の側方に放出して事後の処理が楽にできるものとしている。
【０００９】
以下、この発明のひまわりの収穫機について、図面に基づき具体的に説明する。
まず、ひまわりを収穫するコンバイン１３は、図１、及び図２に示すように、走行装置１０として左右一対のクローラを装備した車体１上に、穀稈供給口３を前側にして脱穀装置２を搭載し、その穀稈供給口３に搬送コンベヤ４の終端部を接続して構成している。そして、脱穀装置２は、図５に示すように、上部に螺旋式扱胴１６を前後方向に軸架して下側に選別網１７を張設した扱室１４を配置し、その下側には揺動可能に揺動選別棚１８を吊り下げ、その下側に、選別方向の上手側から順番に圧風唐箕１９、一番移送螺旋２０、二番移送螺旋２１の順に軸装し、後部下方に排塵口を開放した選別室１５を設けて構成している。
【００１０】
そして、刈取前処理装置５は、図１、乃至図４に示すように、前記搬送コンベヤ４の搬送始端部に収集テーブル１１を連結し、このテーブル１１上に横向きにして横軸２２によって軸架した掻込みオーガー２３を有する構成としている。そして、刈取前処理装置５は、図面に示すように、上記収集テーブル１１の前側に第一刈刃６を設け、この第一刈刃６が刈り取った茎稈上部の種子部を、上記掻込みオーガー２３が搬送過程で収集しながら、前記搬送コンベヤ４の搬送始端部に供給する構成としている。
【００１１】
そして、分草杆２４は、図１に示すように、前記刈取前処理装置５の前部左右両側にそれぞれ設けている。そして、分草案内杆９は、図１から解るように、上記左右の分草杆２４の間で、第一刈刃６の前側に複数条の圃場の穀稈を刈刃６まで誘導案内するように横方向に配列して設けた構成としている。
【００１２】
２５は掻込みリールを示している。
以上のように構成した刈取前処理装置５は、一体に構成されている後部の搬送コンベヤ４の上部を支持している上部横軸２７を回動支点にして、昇降油圧シリンダー２６の伸縮作動により上下に昇降して前記第一刈刃６の刈高さを調節する構成としている。
【００１３】
つぎに、第二刈刃７と茎稈掻出し装置８とは、図１、乃至図４に示すように、前記第一刈刃６の後方、下方に位置して設けられているが、実施例の場合、第二刈刃７は、コンベヤケース２８の伝動支持ボックス２９に伝動可能に取り付けられ、一方、茎稈掻出し装置８は、収集テーブル１１の側板に設けた伝動ボックス３６に伝動可能に支持されている。
【００１４】
そして、茎稈掻出し装置８は、第二刈刃７が刈り取った茎稈中間部を、車体１の側方へ搬送して放出する構成としている。
そこで、まず、第二刈刃７は、図６に示すように、刈刃後部の左右両側に摺動支持杆３０の下端部を固着し、一方側(実施例では左側)には刈刃７を駆動する伝動角軸３１を設け、左側の摺動支持杆３０と伝動角軸３１とを前記伝動支持ボックス２９に上下摺動自由に下側から挿通し、他方の右側摺動支持杆３０を収集テーブル１１の側板に上下摺動自由に取り付けている。そして、刈刃上下シリンダー３２は、図６に示すように、下端部を摺動支持杆３０の中間部に連結し、上端部をコンベヤケース２８に取り付けて油圧作動により伸縮して第二刈刃７を上下に昇降調節する構成としている。
【００１５】
上記のように、第二刈刃７は、刈取前処理装置５と一体で第一刈刃６と共に、前述した昇降油圧シリンダー２６による刈高調節により上下に昇降調節が可能であると共に、該第一刈刃６の上下調節とは別に、単独で前記刈刃上下シリンダー３２の伸縮操作で上下刈高調節ができる利点がある。
【００１６】
なお、図３に示す実施例は、３３が接地橇で上部に揺動アーム５６に接続したロット５７を連結して、第二刈刃７を地面基準で進行できる構成としている。
そして、茎稈掻出し装置８は、図６に示すように、搬送ケース３４の内部に回転可能に装置しているチエンに所定間隔ごとに掻出しラグ３５を設けて構成し、一方に設けた伝動支持軸３７を、前記伝動ボックス３６に下側から挿入して連結支持し、他方側には取付金具５５で収集テーブル１１の下面に取り付けて構成している。
【００１７】
以上、説明したように、第二刈刃７と茎稈掻出し装置８は、収集テーブル１１の側板とコンベヤケース２８とに着脱自由に取り付けているから、これらを取り外すことも比較的簡単にできる。したがって、実施例の収穫機は、上記両者を取り外せば、大豆収穫用のコンバインとして使用でき、又茎稈掻出し装置８のみを取り外して稲刈用のコンバインとして利用することも可能である。
【００１８】
つぎに、第二刈刃７と茎稈掻出し装置８との伝動機構について、図７に基づいて概略の機構を説明する。
まず、エンジン３８から出力される回転動力は、伝動ベルト３９，４０を介して搬送コンベヤ４の上部を支持している上部横軸２７に伝動する構成としている。そして、伝動支持ボックス２９は、図面から解るように、伝動チエン４１によって前記上部横軸２７から入力され、前記伝動角軸３１を伝動すると共に、リール伝動チエン４２で掻込みリール２５を伝動し、刈刃伝動ベルト４３で第一刈刃６を伝動し、伝動ベルト４４で伝動ボックス３６に入力する構成としている。
【００１９】
そして、伝動ボックス３６は、図６、及び図７に示すように、掻込みオーガー２３と前記伝動支持軸３７を介して茎稈掻出し装置８とを伝動する構成にしている。
以上のように、実施例の伝動機構は、従来からの全稈投入型脱穀装置を搭載したコンバインの既存の刈取前処理装置の伝動機構をそのまま利用して、その上に第二刈刃７と茎稈掻出し装置８とに分配する伝動機構を追加した構成で、比較的簡単な伝動構成にした特徴がある。
【００２０】
そして、茎稈掻出し装置８は、図８に示すように、平面視において、収集テーブル１１の右側端縁より外側まで延長して設けた構成として、茎稈中間部を車体１より遠くへ放出できるものとしている。したがって、実施例に係る茎稈掻出し装置８は、回り刈りをするときには、第二刈刃７が刈り取った茎稈中間部を横方向に搬送しながら走行装置１０が通過する位置よりも更に外側に掻き出して、車体１の右側に形成される既刈地に放出できる構成となっている。
【００２１】
つぎに、下降規制具１２は、図４に示すように、収集テーブル１１の左右両方の下側において、前部を第一刈刃６の後方位置に、後部を第二刈刃７の上方位置にそれぞれ取り付けて固着し、茎稈掻出し装置８や第二刈刃７の高さより低い位置に下げて配置し、橇のように圃場地面に接して滑りながら前進する構成としている。
【００２２】
このように設けた下降規制具１２は、刈取前処理装置５の下降限界位置にあって、それ以上の下降ができないように規制して、茎稈掻出し装置８が側方に掻き出し搬送する茎稈中間部の通路(搬送通路の高さ)を確保し、茎稈中間部が極端に前倒れ姿勢にならずに円滑に搬送できるものとしている。更に、第二刈刃７と茎稈掻出し装置８とは、収集テーブル１１の下側の隠れた位置にあるから、作業中操縦席からオペレータが目視できず、破損しても分かり難いが、下降規制具１２がこれらと圃場面との衝突を避け、破損を防止しており、安全に作業ができる特徴がある。
【００２３】
つぎに、種子排出装置５０とグレンタンク４５とについて、図９に基づいて説明する。
まず、ひまわりの種子は、米麦に比較すると、柔らかく傷つき易いため、搬送時に機械的損傷を受け易く、螺旋搬送を主体とする排出オーガーは適さず、実施例の構成は、空気搬送装置を採用している。
【００２４】
まず、グレンタンク４５は、図９に示すように、バケット式揚穀装置４６で脱穀装置２から選別後の種子が揚穀されて供給される構成としている。そして、ロータリー式繰出し装置４７は、図面に示すように、上記グレンタンク４５の下部排出部位に前後軸に繰出羽根を軸装して設けられ、排出クラッチの入り切り操作によって駆動すると、回転に伴って上側の種子を定量ずつ下側に繰り出す構成としている。
【００２５】
そして、種子排出装置５０は、上記ロータリー式繰出し装置４７のすぐ下側に搬送風路４８を臨ませて配置し、その搬送風路４８の搬送上手側にブロワー４９を接続して連通し、搬送下手側には縦排出ホース５０aと横排出ホース５０bとを順次連通して連結し、一連の搬送路を構成している。そして、上記縦排出ホース５０aと横排出ホース５０bは、それぞれカバー５２で被覆され、横排出ホース５０bの先端部には種子排出口５１を開口して構成している。
【００２６】
そして、種子排出装置５０は、縦排出ホース０aが仮想の中心軸を中心に旋回し、上部の横排出ホースが種子排出口５１を上下に移動調節可能に構成されており、前記種子排出口５１を排出場所(例えば農道で待機するトラックのタンク)に上下、左右に移動調節しながら位置合わせができる構成としている。
【００２７】
以上のように構成した種子排出装置５０は、グレンタンク４５が、満タンに達して排出作業に移るとき、まず、種子排出口５１の位置合わせを行った後、オペレータは、排出クラッチを入り操作してブロワー４９を駆動する。すると、搬送風は、ブロワー４９で起風されて強制的に搬送風路４８の始端部側に供給され、排出ホース５０a，５０b側に吹き抜けて排出口５１から機外に吹き出される。そして、ロータリー式繰出し装置４７に、動力を伝動して繰出し回転を開始すると、グレンタンク４５内に充填されているひまわりの種子は、定量ずつ搬送風路４８に繰り出され、上手側から下手側に向けて吹き抜けている搬送風の風圧を受けて搬送が開始される。
【００２８】
このようにして、ひまわりの種子は、空気搬送によって機械的損傷の少ない状態でグレンタンク４５から機外のトラックのタンク等に排出されて収穫される。
以上述べたように、この発明の実施例は、第一刈刃６が刈り取ったひまわり茎稈の上部とこれに付着している種子部とを脱穀装置２まで搬送して供給し、脱穀選別をするとき、茎稈上部を短く刈り取っているから夾雑物の混入が少ない状態で良好に選別ができる。そして、下側の茎稈中間部は、比較的長い丈で刈り取られても、茎稈掻出し装置８によって側方に掻き出し搬送されて車体１の側方に整然と放出され圃場面に散乱することはない。ひまわりは、最近、背丈の低い品種が開発され栽培されているから横方向への掻き出し搬送も円滑に行うことができる。
【００２９】
そして、この発明の実施例は、圃場に植えられて不安定な状態で立っている茎稈上部を、分草案内杆９によって左右両側から支えながら、第一刈刃６まで誘導案内するから、安定した直立に近い状態で刈り取られる。そして、この発明は、第二刈刃７が刈り取った茎稈の中間部を、茎稈掻出し装置８によって走行装置１０が通過する通路より外側まで搬送して放出するから、クローラ１０によって踏み付けられて散乱することがないから、事後に集める作業が楽になる。
【００３０】
そして、この発明は、第二刈刃７によって刈り取られた茎稈中間部が、茎稈掻出し装置８によって既刈地に放出されるから、既に説明したように、走行装置１０によって踏み付けられることは勿論なく、回り刈りにおいて、２回目に回り刈りをしてきたとき、前回の刈取放出茎稈が走行や刈り取りの邪魔にならず、回り刈による作業を能率よく続けることができる。
【００３１】
そして、この発明は、刈取前処理装置５の最も低い位置が下降規制具１２によって決められるから、収集テーブル１１の下側に形成されている茎稈中間部の掻出し通路の高さを、常に保持することができる。そのため、この発明は、茎稈中間部が茎稈掻出し装置８によって側方に搬送される過程で、極端に前倒れ姿勢になって不安定な状態でならず、円滑に掻き出される。
【００３２】
そして、この発明の下降規制具１２は、収集テーブル１１の裏側(下側)にあって、操縦位置からではオペレータが目視できない第二刈刃７と茎稈掻出し装置８とを、保護してこれらが走行中に地面に衝突して破損するのを未然に防止する働きもするようになっている。
【図面の簡単な説明】
【００３３】
【図１】収穫機の平面図
【図２】収穫機の側面図
【図３】要部の作用図
【図４】収穫機の側面図
【図５】主として脱穀装置の側断面図
【図６】要部の分解図
【図７】主として伝動を示す平面図
【図８】収穫機の平面図
【図９】グレンタンクの側面図
【符号の説明】
【００３４】
１  車体
２  脱穀装置
３  穀稈供給口
４  搬送コンベヤ
５  刈取前処理装置
６  第一刈刃
７  第二刈刃
８  茎稈掻出し装置
９  分草案内杆
１０  走行装置
１１  収集テーブル
２２  横軸
２３  掻込みオーガー
２４  分草杆
２８  コンベヤケース
２９  伝動支持ボックス
３０  摺動支持杆
３１  伝動角軸
３５  掻出しラグ
３６  伝動ボックス
３７  伝動支持軸
５５  取付金具
【図１】
0004779311.tif 000002
【図２】
0004779311.tif 000003
【図３】
0004779311.tif 000004
【図４】
0004779311.tif 000005
【図５】
0004779311.tif 000006
【図６】
0004779311.tif 000007
【図７】
0004779311.tif 000008
【図８】
0004779311.tif 000009
【図９】
0004779311.tif 000010